【事件の表示】
　平成　４年特許願第２５５０２３号「円盤状記録媒体用の記録及び／又は再生装置」拒絶査定に対する審判事件［平成　６年　４月２２日出願公開、特開平　６−１１１３３４］について、次のとおり審決する。
【結　論】
　本件審判の請求は、成り立たない。
【理　由】
１、手続の経緯、本願発明の認定
　本願は、平成４年９月２４日の出願であって、その発明は、補正された明細書及び図面の記載によれば
特許請求の範囲の請求項１に記載されたとおりの
「回転自在に収納された円盤状記録媒体の種類を示す識別部を有するディスクカートリッジの上記円盤状記録媒体が装着され、この装着された円盤状記録媒体を回転駆動する回転駆動手段と、
　上記装着された円盤状記録媒体の径方向に移動可能とされ、且つ上記円盤状記録媒体に対しレーザ光源からの出射光に基づいて情報信号の記録及び／又は再生を行う記録及び／又は再生手段と、
　上記ディスクカートリッジの識別部を検出する検出手段と、
　上記検出手段からの検出出力に基づいて上記レーザ光源からの出射光の出力レベルを制御する制御手段と、
　上記制御手段によって制御された上記レーザ光源からの出射光により上記円盤状記録媒体から上記円盤状記録媒体に記録されている上記円盤状記録媒体の属性データを読み出し、上記読み出した属性データに基づいて上記円盤状記録媒体の種類を判別する判別手段と、
　上記記録及び／又は再生手段に設けられ、第１の光検出部と第２の光検出部並びに上記記録及び／又は再生手段を制御するためのエラー信号を得るための第３の光検出部とを有する光検出手段と、
　上記第１の光検出部からの検出出力と上記第２の光検出部からの検出出力との差をとる第１の演算手段と、
　上記第１の光検出部からの検出出力と上記第２の光検出部からの検出出力との和をとる第２の演算手段と、
　上記第３の光検出部からの検出出力に基づいてエラー信号を生成する第３の演算手段とを備え、
　上記判別手段からの検出出力に基づいて上記第１の演算手段と上記第２の演算手段からの出力を選択的に切り換えて出力するようにした円盤状記録媒体の記録及び／又は再生装置。」
の発明（以下、本願発明という）であると認められる。
　
２、刊行物発明
　これに対して、原審が拒絶の理由に引用した特開平４ー１０３０７４号公報（以下「刊行物１」という）には、第１〜１２図と明細書に
（１）特許請求の範囲
「（１）再生専用形の第１の光ディスクと、これとは記録形式が異なると共に光反射率の異なる第２の光ディスクとを識別する識別手段と、
　前記光ディスクを所定の速度で回転駆動する光学へッドと、
　この光学ヘッドの出力から再生信号を生成するＲＦ回路とを有し、
　前記ＲＦ回路には、前記第１の光ディスクと第２の光ディスクとで、ゲインを切り替えるゲイン切替手段と、信号処理回路を切り替える信号処理切替手段とを設け、
　前記識別手段の出力により前記ゲイン切替手段及び信号処理切替手段を切り替えるようにしたことを特徴とするディスク再生装置。
（２）前記識別手段が、第１の光ディスクと第２の光ディスクとの光反射率の違いから識別を行うものである請求項（１）記載のディスク再生装置。
（３）第１及び第２の光ディスクは、それぞれカートリッジ内に収納されており、前記識別手段は、前記カートリッジに付与されたディスク識別マークを検知して識別を行うものである請求項（１）記載のディスク再生装置。」
（２）第１頁右下欄９〜１４行「発明の詳細な説明【産業上の利用分野】　この発明は、再生専用形の光ディスクと、これとは記録形式が異なると共に、光反射率が異なる光ディスク、例えば書換形の光磁気ディスク等の複数種類のディスクの光学的再生が行えるディスク再生装置に関する。」
（３）第１頁右下欄１６行〜２頁左上欄４行「この発明は、再生専用形の第１の光ディスクと、これとは記録形式及び光反射率が異なる第２のデスクとを識別する識別手段を設け、この識別手段の出力により、光学へッドの出力から再生信号を生成するＲＦ回路に設けられたゲイン切換回路及び信号処理切換回路を切り替え、複数種の光ディスクを自動的に識別して再生できる再生装置を提供するものである。」
（４）２頁右下欄８〜末行「光ディスクが再生装置に装填されると、識別手段により、その装填されたディスクが第１の光ディスクか第２の光ディスクかが識別され、その識別出力により、ＲＦ回路のゲイン切替回路及び信号処理切替回路が切り替えられる。すなわち、ゲイン切替回路により、光学ヘッドの出力に対するＲＦゲインが、第１の光ディスクと第２の光ディスクの光反射率の違いに応じて適切になるように切り替えられる。また、信号処理切替回路により、第１及び第２の光ディスクの記録形式の違いに応じた再生信号処理回路となるように、ＲＦ回路が切り替えらる。」
（５）４頁左上欄頁１〜３行「第３図は、再生専用形の光ディスク用のディスクカートリッジの表面図、第４図は、その裏面図である。」
（６）４頁右上欄７〜９行「また、第５図は、書換型の光磁気ディスク用のディスクカートリッジ１２の表面図、第６図は、その裏面図である。」
（７）４頁右下欄１４行〜５頁左上欄４行「装置に挿入されたディスクが光磁気ディスクか否かの識別がなされ、その識別出力がシステムコントローラ２０に供給されている。
　入力端子２１を通じた例えば２チャンネルのアナログオーディオ信号は、Ａ／Ｄコンバータ２２においてサンプリング周波数４４．１ｋＨｚでサンプリングされ、各サンプリング値が１６ビットのディジタル信号に変換される。この１６ビットのディジタル信号は、データ圧縮／伸張処理回路２３に供給される。」
（８）６頁左下欄１２〜１８行「II−（２）記録再生装置の再生系
　この例の装置は、再生専用形の光ディスクと、書換形型の光磁気ディスクとの２種のディスクの再生が可能である。この２種のディスクの識別は、前述したように、各ディスクカートリッジ２及び１２に付与された識別用凹穴１０ａ，１０ｂを検出することにより行うことができる。」
（９）６頁右下欄９〜１５行「また、再生専用形と書換形のディスクとでは光反射率が、前述したように、１：０．２と異なるので、光学ヘッド３０の出力から２種のディスクの識別を行うこともできる。第１図の例の再生系では、後述するように、光反対率の違いから２種のディスクの識別を行うディスク識別回路４０を設けている。」
（１０）７頁右下欄１６行〜８頁右下欄１行「このＲＦ回路３１は、光検出素子５０ＩによるＰ偏光成分の検出出力と、光検出素子５０ＪによるＳ偏光成分の検出出力とを相互比較することにより、光磁気ディスクの垂直磁化膜において反射レーザビームが受けた偏光面の回転を検出し、その偏光面の回転に応じた変化を有するものとなる前記比較出力により読取り情報信号ＤＲＦを形成する。そして、この情報信号ＤＲＦから再生データを生成する。
　また、再生専用形の光ディスクからの再生時には、レーザビームの回折現象を利用して光検出量の強弱として再生データを生成するもので、この例では、光検出素子５０ＩによるＰ偏光成分の検出出力と、光検出素子５０ＪによるＳ偏光成分の検出出力との和から読取り情報信号ＤＲＦを形成する。
　したがって、ＲＦ回路３１では、ディスクの識別出力を用いて、信号処理回路を切り替え、光磁気ディスクのときは、Ｐ偏光成分とＳ偏光成分の差（比較出力）を得、再生専用形ディスクのときは、Ｐ偏光成分とＳ偏光成分の和を得るようにすることにより、光磁気ディスクと再生専用形ディスクとの両者からの読取り情報信号ＤＲＦを形成して、データ再生が可能になる。
　ＲＦ回路３１は、また、ディスクに設けられたトラッキングサーボ用のウォブリングトラックからの反射レーサビームの変化が光検出ユニット５０の光検出素子５０Ｅ及び５０Ｆに得られるので、これら光検出素子５０Ｅ及び５０Ｆの光検出出力を用いてトラッキングエラ一信号を形成する。さらに、光検出素子群５１上でのビームスポット形状を４個の光検出素子５０Ａ〜５０Ｄの検出出力を用いて検出することにより、ディスクへの入射レーザビームのフォーカスエラー信号を形成する。
　また、ＲＦ回路３１では、再生専用形ディスクと、光磁気ディスクとの光反射率の違いを考慮して、読取り情報信号形成回路系のＲＦゲインを切り替えると共に、各サーボエラー信号形成回路系のＲＦゲインを切り替えるようにする。
　第１０図は、このＲＦ回路３１の回路構成の実施例である。
　すなわち、光検出ユニット５０の光検出素子５０Ｉ及び５０Ｊの光検出出力ＬＩ及びＬＪは、それぞれオぺアンプ１０１及び１０２により増幅される。そして、これらオペアンプ１０１及び１０２の出力の和の出力がオペアンプ１０３から得られ、その和の出力がスイッチ回路ＳＷ１の一方の入力端Ｐに供給される。また、オペアンプ１０１の出力とオペアンプ１０２の出力は、差動アンプ１０４に入力され、この差動アンプ１０４からオペアンプ１０１の出力とオペアンプ１０２の出力の差の出力が得られ、その差の出力がスイッチ回路ＳＷ１の他方の入力端Ｍに供給される。
　そして、このスイッチ回路ＳＷ１は、後述するディスク識別回路４０の識別出力から形成されるシステムコントローラ２０からの切替信号により、再生専用形ディスクからの再生時と、光磁気ディスクからの再生時であって、ディスク１の部分Ｐからのピットによる記録部分からの再生時には、一方の入力端Ｐ側に切り替えられ、光検出出力ＬＩとＬＪの和の出力が出力信号ＤＲＦとして出力端１０５に得られ、また、光磁気ディスクの光磁気記録領域Ｗからの再生時には、他方の入力端Ｍ側に切り替えられ、光検出出力ＬＩとＬＪの差の出力が出力信号ＤＲＦとして出力端子１０５に得られる。」
（１１）９頁左上欄１〜１６行「このスイッテ回路ＳＷ２は、システムコントローラ２０からの切替信号により、再生専用形ディスクからの再生時と、光磁気ディスクからの再生時であって、部分Ｐからのピットによる記録部分からの再生時には、他方の入力端Ｎ側に切り替えられ、また、光磁気ディスクの光磁気記録領域Ｗからの再生時には、一方の入力端Ｉ側に切り替えられる。この切り替えは、再生専用形ディスクからの再生時と、光磁気ディスクからの再生時であって、部分Ｐからのピットによる記録部分からの再生時には、トラッキングサーボは、３スポット法が用いられ、光磁気ディスクの光磁気記録領域Ｗからの再生時には、プッシュプル法が用いられるため、両トラッキングサーボ方法で、トラッキングエラー信号の極性を変える必要があるためである。」
（１２）１２頁左上欄１６行〜右上欄９行「また、ディスクの識別手段としては、ディスクカートリッジに形成した識別マークを用いてもよく、その識別マークとしては、図の実施例のような凹穴や突部のみに限られるものではなく、例えばカートリッジやそれに貼付するラベルのいづれかの位置に識別用バーコード等を設けておくようにしても良い。
　また、ディスク識別出力に応じて切り替える部分は、上記の例ではＲＦ回路３１におけるゲイン及び信号処理回路であるが、光ディスクの記録方式に応じた信号再生方式の違いに応じてＲＦ回路より後段の回路の信号処理回路を切り替える必要がある場合には、その部分もディスク識別出力に応じて切り替えるようにするのはもちろんである。」
の記載があり、
　これら記載と図面の記載から判断して、上記刊行物には、
　
  回転自在に収納された円盤状光ディスクの種類を示す識別マークを有する光ディスクカートリッジの上記円盤状光ディスクが装着され、この装着された円盤状光ディスクを回転駆動する回転駆動手段と、
　上記装着された円盤状光ディスクの径方向に移動可能とされ、且つ上記円盤状光ディスクに対しレーザ光を出射する光ヘッドからの出射光に基づいて情報信号の記録及び／又は再生を行う信号処理回路と、
　上記再生専用形の第１の光ディスクと、これとは記録形式が異なると共に光反射率の異なる書換型の第２の光ディスクとを上記光ディスクカートリッジに付されたディスク識別マークもしくは光ディスクの反射率の違いにより識別する識別手段と、
　上記識別手段からの識別信号に基づいて上記レーザ光源の出力に対するＲＦゲインを切り替えるゲイン切替手段と、
　上記識別手段からの識別信号に基づいて上記信号処理回路を切り替える信号処理切替手段とを有し、
　上記信号処理回路に設けられ、第１の光検出素子（５０Ｉ）と第２の光検出素子（５０Ｊ）、及び記録再生回路を制御するためのエラー信号を得るための第３の光検出素子（５０Ａ〜Ｆ）とを有し、
　上記第１の光検出素子（５０Ｉ）と上記第２の光検出素子（５０Ｊ）の出力の差を演算する手段と、
　上記第１の光検出素子（５０Ｉ）と上記第２の光検出素子（５０Ｊ）の出力の和を演算する手段と、
　上記第３の光検出素子（５０Ａ〜Ｆ）を用いてエラー信号を演算する手段と、
　上記識別手段の出力により上記第１の演算手段と上記第２の演算出段からの出力を選択的に切り替えて出力するようにした光ディスク記録及び／又は再生装置（以下、刊行物記載発明という）
　
が記載されているものと認める。
　
３、対　比
　以下に、刊行物記載発明と本願発明とを対比する。
　刊行物記載発明の（イ）「回転自在に収納された円盤状光ディスクの種類を示す識別マークを有する光ディスクカートリッジの上記円盤状光ディスクが装着され、この装着された円盤状光ディスクを回転駆動する回転駆動手段」（ロ）「上記装着された円盤状光ディスクの径方向に移動可能とされ、且つ上記円盤状光ディスクに対しレーザ光を出射する光ヘッドからの出射光に基づいて情報信号の記録及び／又は再生を行う信号処理回路」（ハ）「上記再生専用形の第１の光ディスクと、これとは記録形式が異なると共に光反射率の異なる書換型の第２の光ディスクとを上記光ディスクカートリッジに付されたディスク識別マークもしくは光ディスクの反射率の違いにより識別する識別手段」（ニ）「上記識別手段からの識別信号に基づいて上記レーザ光源の出力に対するＲＦゲインを切り替えるゲイン切替手段」（ホ）「識別信号に基づいて上記信号処理回路を切り替える信号処理切替手段」（ヘ）「上記信号処理回路に設けられ、第１の光検出素子（５０Ｉ）と第２の光検出素子（５０Ｊ）、及び記録再生回路を制御するためのエラー信号を得るための第３の光検出素子（５０Ａ〜Ｆ）」（ト）「上記第１の光検出素子と上記第２の光検出素子の出力の差を演算する手段」（チ）「上記第１の光検出素子と上記第２の光検出素子の出力の和を演算する手段」（リ）「上記第３の光検出素子を用いてエラー信号を演算する手段」（ヌ）「上記識別手段の出力により上記第１の演算手段と上記第２の演算出段からの出力を選択的に切り替えて出力するようにした光ディスク記録及び／又は再生装置」と本願発明の（イ）「回転自在に収納された円盤状記録媒体の種類を示す識別部を有するディスクカートリッジの上記円盤状記録媒体が装着され、この装着された円盤状記録媒体を回転駆動する回転駆動手段」（ロ）「上記装着された円盤状記録媒体の径方向に移動可能とされ、且つ上記円盤状記録媒体に対しレーザ光源からの出射光に基づいて情報信号の記録及び／又は再生を行う記録及び／又は再生手段」（ハ）「上記ディスクカートリッジの識別部を検出する検出手段」（ニ）「上記検出手段からの検出出力に基づいて上記レーザ光源からの出射光の出力レベルを制御する制御手段」（ホ）「上記円盤状記録媒体の種類を判別する判別手段」（ヘ）「上記記録及び／又は再生手段に設けられ、第１の光検出部と第２の光検出部並びに上記記録及び／又は再生手段を制御するためのエラー信号を得るための第３の光検出部とを有する光検出手段」（ト）「上記第１の光検出部からの検出出力と上記第２の光検出部からの検出出力との差をとる第１の演算手段」（チ）「上記第１の光検出部からの検出出力と上記第２の光検出部からの検出出力との和をとる第２の演算手段」（リ）「上記第３の光検出部からの検出出力に基づいてエラー信号を生成する第３の演算手段」（ヌ）「判別手段からの検出出力に基づいて上記第１の演算手段と上記第２の演算手段からの出力を選択的に切り換えて出力するようにした円盤状記録媒体の記録及び／又は再生装置」とは対応する構成であるから、
　刊行物記載発明と本願発明とは、本願発明の表現をもってすれば、
　
　回転自在に収納された円盤状記録媒体の種類を示す識別部を有するディスクカートリッジの上記円盤状記録媒体が装着され、この装着された円盤状記録媒体を回転駆動する回転駆動手段と、
　上記装着された円盤状記録媒体の径方向に移動可能とされ、且つ上記円盤状記録媒体に対しレーザ光源からの出射光に基づいて情報信号の記録及び／又は再生を行う記録及び／又は再生手段と、
　上記ディスクカートリッジの識別部を検出する検出手段と、
　上記検出手段からの検出出力に基づいて上記レーザ光源からの出射光の出力レベルを制御する制御手段と、
　上記円盤状記録媒体の種類を判別する判別手段と、
　上記記録及び／又は再生手段に設けられ、第１の光検出部と第２の光検出部並びに上記記録及び／又は再生手段を制御するためのエラー信号を得るための第３の光検出部とを有する光検出手段と、
　上記第１の光検出部からの検出出力と上記第２の光検出部からの検出出力との差をとる第１の演算手段と、
　上記第１の光検出部からの検出出力と上記第２の光検出部からの検出出力との和をとる第２の演算手段と、
　上記第３の光検出部からの検出出力に基づいてエラー信号を生成する第３の演算手段とを備え、
　上記判別手段からの検出出力に基づいて上記第１の演算手段と上記第２の演算手段からの出力を選択的に切り換えて出力するようにした円盤状記録媒体の記録及び／又は再生装置
　
では同じであるものの、
　
　上記（ホ）の「上記円盤状記録媒体の種類を判別する判別手段」が、第１刊行物では「再生専用形の第１の光ディスクと、これとは記録形式が異なると共に光反射率の異なる書換型の第２の光ディスクとを上記光ディスクカートリッジに付されたディスク識別マークもしくは光ディスクの反射率の違いにより識別する識別手段」であるのに対して、本願発明は「上記制御手段によって制御された上記レーザ光源からの出射光により上記円盤状記録媒体から上記円盤状記録媒体に記録されている上記円盤状記録媒体の属性データを読み出し、上記読み出した属性データに基づいてする」点で相違する。
　その為、刊行物記載発明では出力レベル（ゲイン）の切替と信号処理回路の切り替えとが同じ識別回路の識別信号を用いるのに対して、本願発明は出力レベル（ゲイン）の切替えは刊行物記載発明と同じにディスクカートリッジの識別部を検出した信号を用いるものの、演算手段の切り換えは上記円盤状記録媒体に記録されている上記円盤状記録媒体の属性データを読み出し、上記読み出した属性データに基づいて円盤状記録媒体を判別する点で相違する。（以下、相違点という）
　
４、相違点に対する当審の判断
　刊行物記載発明は「再生専用形の第１の光ディスクと、これとは記録形式が異なると共に光反射率の異なる書換型の第２の光ディスク」を対象とし、ディスクの相違によりゲインの切り換えと信号処理回路を切り換えるものであり、そのため、刊行物にはカートリッジに付されたディスク識別マ−クもしくは光ディスクの種類により異なる光反射率の相違から識別することが記載されている。
　刊行物記載発明に記載される光の反射率の相違を検出して信号処理回路を切り換えることに換えて、該刊行物記載発明に記載される「記録形式が異なる」ことに着目し、記録されている信号を読み取って解析することでディスクの種類を判別して信号処理を切り換えることが、本願出願前に特開平３−２５０４５１号公報・特表平４−５０１７８０号公報・特開平２−３０８４２５号公報等に示されるように周知の技術に他ならなず、特に上記特開平３−２５０４５１号公報にはカートリッジ外形のディスクの種別を示す識別部からまず種別を検出し、かつ実際に記録・再生動作が指示された場合は、記録されている信号から情報記録媒体の判別情報を作成し、この判別情報で記録・再生に係る総合的な制御処理を行うことも記載されているので、刊行物記載発明が対象とする記録形式の異なる複数種の光ディスクの記録装置又は再生装置において、出力レベル（ゲイン）の切替えは刊行物記載発明と同じにディスクカートリッジの識別部から識別した識別信号を用い、演算手段の切り換えは、媒体種別の技術として周知の円盤状記録媒体に記録されている円盤状記録媒体の属性データに基づいて円盤状記録媒体の種類を判別した判別信号に基づいて切り換えるようにすることは当業者が容易に採用し得たところと認める。
　　　　　　　　　　　　　　　　　　　　
５、むすび
　したがって、本願発明は、原審が示した刊行物に記載された発明に基づいて当業者が容易に発明をすることができたものと認められるので、特許法第２９条第２項の規定により特許をすることができない。　　
　よって結論のとおり審決する。